(57)【特許請求の範囲】
【請求項１】
切削工具（１０）が、その周りに、回転方向（Ｒ）に回転する回転軸（Ｌ）を有する切削工具（１０）であって、
雌固定部材（８８）が設けられている前端部（６０）を有する工具用胴部（１４）、および
雄固定部材（２４）が設けられている交換可能な自動締め付け切削ヘッド（１２）、
を備え、
前記雄固定部材（２４）は、弾性スリット（２８）を有し、
前記交換可能な切削ヘッドは、相補当接領域（１００）における雄固定部材（２４）と雌固定部材（８８）との間の締り嵌めにより前記工具用胴部（１４）の前記前端部（６０）に弾性的に固定され、そして
前記回転軸（Ｌ）に直交し、前記相補当接領域（１００）を貫通する断面において、前記相補当接領域（１００）の断面プロフィールは、相補弧状区域を備え、
前記切削ヘッド（１２）は、切削部分（２０）および前記切削部分（２０）と一体型の単一部品を形成する切削ヘッド連結部分（２２）を備え、
前記切削ヘッド連結部分（２２）は、前記切削部分（２０）の後方方向に延在し、切削ヘッド底面（２６）で終わっている雄固定部材（２４）を備え、
前記弾性スリット（２８）は、雄固定部材（２４）を、それぞれが前記弾性スリット（２８）によって境界が定められる周辺面を形成する切削ヘッドの大きな固定壁（３２）を有する２つの雄固定区分（３）に分割し、そして
前記弾性スリット（２８）は、側部開口部（３４）において前記切削ヘッドの大きな固定壁（３２）に対して開放し、底部開口部（３６）において前記切削ヘッド底面（２６）に対して開放しており、
前記側部開口部（３４）と前記底部開口部（３６）は、底部開口部端部（３８）において交わっており、そして
前記底部開口部端部（３８）は、それぞれのヘッドねじれ溝（１８）の回転後縁（１１２）に隣接しているが、該回転後縁とは一致しないことを特徴とする切削工具。
【請求項２】
前記切削ヘッド（１２）は、超硬合金から作られていることを特徴とする請求項１に記載の切削工具。
【請求項３】
前記工具用胴部（１４）は、超硬合金から作られていることを特徴とする請求項１に記載の切削工具。
【請求項４】
前記切削ヘッド（１２）および前記工具用胴部（１４）は、超硬合金から作られていることを特徴とする請求項１に記載の切削工具。
【請求項５】
前記相補弧状区域は、相補円形区域であることを特徴とする請求項１に記載の切削工具。
【請求項６】
前記工具用胴部（１４）には、前記工具用胴部前端部（６０）において、工具用胴部底面（６６）から前方に向って延在する、回転的に相隔てられている２つの突出部（６４）を有する突出部分（６２）が設けられており、そして
前記切削ヘッド底面（２６）は、前記工具用胴部底面（６６）に当接しないことを特徴とする請求項１に記載の切削工具。
【請求項７】
伝動部材（５０）が、前記切削ヘッド（１２）の回転後面（４６）から突出し、
前記伝動部材（５０）は、軸方向前方方向に面している上面（５２）、軸方向後方方向に面しているベース面（５４）、および通常前記回転方向（Ｒ）とは逆方向に面しており、前記上面（５２）と前記ベース面（５４）との間に配置される切削ヘッドトルク伝動壁（５８）を有していることを特徴とする請求項１に記載の切削工具。
【請求項８】
前記工具用胴部（１４）には、前記工具用胴部前端部（６０）において、工具用胴部底面（６６）から前方に向って延在する、回転的に相隔てられている２つの突出部（６４）を有する突出部分（６２）が設けられており、
前記突出部（６４）それぞれは、下部突出部分（６８）および上部突出部分（７０）を備え、
前記下部突出部分（６８）は、前記上部突出部分（７０）がそこから軸方向前方方向に延在する、軸方向前方に向って面している軸支持面（７２）を有し、
前記上部突出部分（７０）と前記下部突出部分（６８）は、通常前記回転方向（Ｒ）に面している工具用胴部トルク伝動壁（８２）及び軸方向に面している軸支持面（７２）を備える伝動部材収容凹部（８４）を形成し、
前記切削ヘッドトルク伝動壁（５８）は、前記工具用胴部トルク伝動壁（８２）に当接し、そして
前記伝動部材（５０）の前記ベース面（５４）は、前記切削ヘッド（１２）に対する軸支持を提供する前記軸支持面（７２）に当接することを特徴とする請求項７に記載の切削工具。
【請求項９】
前記上部突出部分（７０）は、通常前記軸支持面（７２）に面している下面（８０）を備え、
前記工具用胴部トルク伝動壁（８２）は、前記下面（８０）と前記軸支持面（７２）との間に配置され、そして
前記伝動部材（５０）の前記上面（５２）は、前記上部突出部分（７０）の前記下面（８０）に当接しないことを特徴とする請求項８に記載の切削工具。
【請求項１０】
前記弾性スリット（２８）は、前記雄固定部材（２４）を、それぞれが切削ヘッドの大きな固定壁（３２）を有する２つの雄固定区分（３０）に分割し、
前記雌固定部材（８８）は、２つの工具用胴部固定壁（９２）を備え、そして
前記切削ヘッドの大きな固定壁（３２）それぞれは、対応する工具用胴部固定壁（９２）に当接することを特徴とする請求項１に記載の切削工具。
【請求項１１】
前記工具用胴部固定壁（９２）の後端（１０６）には、組み立ての間、前記切削ヘッドの大きな固定壁（３２）と前記工具用胴部固定壁（９２）との間の最初の接触が前記工具用胴部固定壁（９２）の周辺の内側の点（１０８）から開始するように、面取り部分（１１０）が設けられていることを特徴とする請求項１０に記載の切削工具。
【請求項１２】
前記切削ヘッド（２０）は、前記雄固定部材（２４）の周辺内で後方方向に延在するヘッドねじれ溝（１８）を有し、
前記弾性スリット（２８）は、前記雄固定部材（２４）を２つの雄固定区分（３０）に分割し、
前記雄固定区分（３０）それぞれは、ヘッドねじれ溝（１８）により関連する切削ヘッドの小さな固定壁（３２’）から切り離されている切削ヘッドの大きな固定壁（３２）を備えていることを特徴とする請求項１に記載の切削工具。
【請求項１３】
前記切削ヘッドの大きな固定壁（３２）は、前記工具用胴部（１４）に当接し、そして  
前記切削ヘッドの小さな固定壁（３２’）は、工具用胴部（１４）に当接しないことを特徴とする請求項１２に記載の切削工具。
【請求項１４】
所定の雄固定区分（３０）において、前記切削ヘッドの大きな固定壁（３２）は、円周方向において、それに関連する切削ヘッドの小さな固定壁（３２’）より大きいことを特徴とする請求項１２に記載の切削工具。
【請求項１５】
前記弾性スリット（２８）は、底部開口部端部（３８）で交わる側部開口部（３４）および底部開口部（３６）を備え、そして
前記底部開口部端部（３８）は、それぞれの前記ヘッドねじれ溝（８１）の回転先端縁（１１２）に隣接しているが、それと一致しないことを特徴とする請求項１２に記載の切削工具。
【請求項１６】
自動締め付け切削ヘッド（１２）であって、
切削部分（２０）、
前記切削部分（２０）と一体型の単一部品を形成する切削ヘッド連結部分（２２）であって、前記切削部分（２０）の後方方向に延在し、切削ヘッド底面（２６）で終わっている雄固定部材（２４）を備えている切削連結ヘッド（２２）、
前記雄固定部材（２４）の周辺内で後方方向に延在しているヘッドねじれ溝（１８）、そして
前記雄固定部材（２４）を２つの雄固定区分（３０）に分割している弾性スリット（２８）、
を備え、
前記雄固定区分（３０）それぞれは、前記ヘッドねじれ溝（１８）のうちの１つにより関連する切削ヘッドの小さな固定壁（３２’）から切り離されている切削ヘッドの大きな固定壁（３２）を備えていることを特徴とする自動締め付け切削ヘッド。
【請求項１７】
所定の雄固定区分（３０）において、前記切削ヘッドの小さな固定壁（３２’）ではなくて前記切削ヘッドの大きな固定壁（３２）は、当接領域を有するように構成されていることを特徴とする請求項１６に記載の自動締め付け切削ヘッド。
【請求項１８】
所定の雄固定区分（３０）において、前記切削ヘッドの大きな固定壁（３２）は、円周方向において、その関連する切削ヘッドの小さな固定壁（３２’）より大きいことを特徴とする請求項１６に記載の自動締め付け切削ヘッド。
【請求項１９】
前記弾性スリット（２８）は、底部開口部端部（３８）において交わる側部開口部（３４）および底部開口部（３６）を備え、そして
前記底部開口部端部（３８）は、前記ヘッドねじれ溝（１８）それぞれの回転先端縁（１１２）に隣接するが、それと一致しないことを特徴とする請求項１６に記載の自動締め付け切削ヘッド。
【請求項２０】
前記弾性スリット（２８）は、底部開口部端部（３８）において交わる側部開口部（３４）および底部開口部（３６）を備え、そして
前記底部開口部端部（３８）は、前記ヘッドねじれ溝（１８）それぞれの回転先端縁（１１２）に隣接するが、それと一致しないことを特徴とする請求項１６に記載の自動締め付け切削ヘッド。
【発明の詳細な説明】
【技術分野】
【０００１】
本発明は、解放可能に装着されている切削ヘッドを有する切削工具に関する。
【背景技術】
【０００２】
解放可能に装着されている切削ヘッドを有するドリルが特許文献１に開示されている。特許文献１に開示される第１の実施形態において、ドリルは、ワークピースを切削するインサート部分（an insert portion）および胴部分（a shank portion）を有し、インサート部分は、胴部分に分離可能に機械的に接続されている。インサート部分および胴部分は、インサート部分と胴部分との間の接続を形成する相補的に係合する部分およびインサート部分または胴部分のどちらかに形成されているスリットを有する。インサート部分および胴部分は、二つの部分の係合状態においてスリットの対向する面の相互運動での弾性的変形により引き起こされる弾性力を用いて互いに接続され、それにより、インサート部分を胴部部分内に圧入することにより、インサート部分は、胴部分と接続されるかまたは胴部分に固定され得る。接続状態において、インサート部分は、インサート部分の保持される部分の両側部と胴部分の保持する部分の内側端面との間の摩擦力により胴部分に固定される。
【０００３】
特許文献１に開示されるドリルは、インサート部分（すなわち、切削部分または切削ヘッド）が胴部分に形成されている対応する平坦な隙間内に収容される２つの対向する平行な平面を持つ概ね平坦な形状を有することを特徴とするスペードドリル（a spade drill）としばしばいわれる。インサート部分および胴部分は、それらがまとめられるとき、２つの構成部分の相対的な軸方向の変位により係合する。インサート部分は、表面が被覆されている超硬合金のような硬質材料から作られ、胴部分は、鋼鉄から作られる。対向する平行な平面の要求精度を保証するために、平面は、研磨され得る。研磨作業は、２度の研磨作業を必要とされる。１つは、一方の平面を研磨するときであり、もう１つは、他方の平面を研磨するときである。２つの研磨作業の間に、インサート部分は、研磨されていない平面を砥石車に向けるために、１８０°だけ回転する必要がある。このことは、砥石車に対する研磨されていない平面を位置決めするのに不正確さを持ち込むことになり得る。
【０００４】
特許文献２には、硬質切削用材料、例えば、炭化タングステン、から作られている工具用ヘッド（a tool head）および高速工具用鋼鉄またはその他の金属材料から作られている工具用胴部（a tool shank）を有する回転切削工具、例えば、ツイストドリル（a twist drill）、が開示されている。工具用ヘッドは、工具の回転軸と同軸で、回転軸を円錐台の軸として工具用胴部に向って先細になっている円錐台形状である固定杭（a fixing peg）を有する。２つの螺旋状ねじれ溝（two spiral flutes）は、固定杭の表面を、本質的に互いに全く正反対にある２つの円錐台形状に生成された表面に分けている。工具用胴部は、工具用胴部から基本的に軸方向に突出している２つの締め付け延長部の向かい合う側面（facing flanks）の間のその保持する端部（its holding end）の適切な位置において交換可能な工具用ヘッドを締め付けている。固定杭の円錐形状に生成された表面は、締め付け位置において、工具用胴部の２つの締め付け延長部の向かい合う側面により押されている。締め付け延長部の互いに向き合っている内側面は、固定杭の凸状の円錐台形状に生成された表面に対応して凹形状にされている。それで、内側面は、固定位置において、固定杭の円錐台形状に生成された表面に対し、内側面の全表面を押しつけている。
【０００５】
特許文献２に例示される代表的な実施形態において、工具用胴部の周辺側部からねじ込まれる締め付け固定ネジは、固定杭および適切な位置で該固定杭を締め付けている締め付け延長部を貫通する。締め付け固定ネジは、締め付け延長部と固定杭との間での完全な嵌合接続（a positive-fit connection）を表すばかりでなく、締め付け延長部により杭の円錐台形状に生成された表面に半径方向に加えられる締め付け圧力を増大させる。代表的な実施形態においては、締め付け固定ネジは、回転軸が直径方向に伸びるスロットの内側にあり、スロットは、固定杭の内側で半径方向に伸び、固定杭の先細の端部に向って開いている。締め付け固定ネジの要求は、余分な複雑性を持ち込み、交換可能な工具用ヘッドを工具用胴部に固定する時間をより長くする原因となる。
【先行技術文献】
【特許文献】
【０００６】
【特許文献１】米国特許第５，２２８，８１２号明細書
【特許文献２】米国特許第７，３０６，４１０号明細書
【発明の概要】
【発明が解決しようとする課題】
【０００７】
すでに述べた欠点をかなり減少させるかまたはこれらの欠点を克服する金属切削作業を実行する切削工具を提供することが本発明の目的である。
【０００８】
すでに述べた欠点をかなり減少させるかまたはこれを克服するばかりでなく、改良された性能を提供する金属切削作業を実行する切削工具を提供することが、本発明のさらなる目的である。
【課題を解決するための手段】
【０００９】
本発明の実施形態によれば、切削工具がそれを中心として回転方向に回転する回転軸を有する切削工具が提供される。切削工具は、工具用胴部、および切削ヘッドの雄固定部材と工具用胴部の雌固定部材との間の締り嵌めにより、工具用胴部の前端部において該工具用胴部に弾性的に固定される交換可能な自動締め付け切削ヘッド、を備えている。雄および雌固定部材は、それぞれ、当接領域を有するように構成されている。２つの固定部材の当接領域は、互いに相補的に当接する。雄固定部材は、弾性スリットを有し、また、回転軸に直交し、雄および雌固定部材の間の相補当接領域を貫通する切削工具の各断面において、相互当接領域の断面プロフィール（cross sectional profiles）は、相補弧状区域である。いくつかの実施形態によれば、相補弧状区域は、相補円形区域である。
【００１０】
いくつかの実施形態によれば、切削ヘッドまたは工具用胴部のどちらか一方が超硬合金から作られ得る。別の実施形態によれば、切削ヘッドおよび工具用胴部の両方が超硬合金から作られ得る。
【００１１】
いくつかの実施形態によれば、切削ヘッドは、切削部分および該切削部分と一体型の単一部品を形成する切削ヘッド連結部分を備えている。切削ヘッド連結部分は、切削部分の後方方向に延在し、切削ヘッド底面で終わっている雄固定部材を備えている。弾性スリットは、雄固定部材を２つの雄固定区分に分割し、２つの雄固定区分は、それぞれ、弾性スリットによって境界が定められる周辺面を形成する切削ヘッドの大きな固定壁を有する。弾性スリットは、側部開口部において切削ヘッドの大きな固定壁に対して開放し、底部開口部において切削ヘッド底面に対して開放している。側部開口部および底部開口部は、底部開口部端部で交わり、底部開口部端部は、それぞれのヘッドのねじれ溝の回転後縁に隣接しているが、該回転後縁とは一致しない。
【００１２】
本発明の実施形態によれば、工具用胴部には、その前端部において、工具用胴部底面から前方に向って延在する回転状に相隔たる２つの突出部を有する突出部分が設けられ、切削ヘッド底面は、工具用胴部底面に当接しない。
【００１３】
いくつかの実施形態によれば、伝動部材が、切削ヘッドの回転後面から突出し、該伝動部材は、軸方向前方方向に面している上面、軸方向後方方向に面しているベース面、および通常回転方向とは逆方向に面しており、上面とベース面との間に配置されている切削ヘッドのトルク伝動壁を有している。工具用胴部には、工具用胴部前端部において、工具用胴部底面から前方に向って延在する回転状に相隔たる２つの突出部を有する突出部分が設けられている。各突出部は、下部突出部分および上部突出部分を備え、下部突出部分は、上部突出部分が軸支持面から軸方向前方方向に延在する、軸方向前方に向って面している軸支持面を有している。上部突出部分と下部突出部分は、通常回転方向に面している工具用胴部トルク伝動壁および軸方向に面している軸支持面を備える伝動部材収容凹部を形成している。
【００１４】
いくつかの実施形態によれば、切削ヘッドトルク伝動壁は、工具用胴部トルク伝動壁に当接し、伝動部材のベース表面は、切削ヘッドへの軸支持を提供する軸支持面に当接する。
【００１５】
いくつかの実施形態によれば、上部突出部分は、通常軸支持面に面している下面を備え、工具用胴部トルク伝動壁は、下面と軸支持面との間に配置されており、伝動部材の上面は、上部突出部分の下面に当接しない。
【００１６】
いくつかの実施形態によれば、弾性スリットは、雄固定部材を２つの雄固定区分に分割する。各雄固定区分は、切削ヘッドの大きな固定壁を有する。雌固定部材は、２つの工具用胴部固定壁を備え、切削ヘッドの大きな固定壁それぞれは、対応する工具用胴部固定壁に当接する。
【００１７】
本発明にいくつかの形態によれば、工具用胴部それぞれの後端には、組み立ての間、切削ヘッドの大きな固定壁と工具用胴部固定壁との間の最初の摩擦接触が各工具用胴部固定壁に沿う周辺の内側の点から開始するように、面取りした部分が設けられている。
【００１８】
一般的に、切削ヘッドは、雄固定部材の周辺内で後方方向に延在するヘッドねじれ溝（a head flute）を有し、弾性スリットは、雄固定部材を２つの雄固定区分に分割する。雄固定区分それぞれは、ヘッドねじれ溝により関連する切削ヘッドの小さな固定壁から切り離されている切削ヘッドの大きな固定壁を備える。
【００１９】
いくつかの実施形態によれば、切削ヘッドの大きな固定壁は、工具用胴部に当接し、切削ヘッドの小さな固定壁は、工具用胴部に当接しない。
【００２０】
本発明のいくつかの応用によれば、所定の雄固定区分においては、切削ヘッドの大きな固定壁は、円周方向において、その関連する切削ヘッドの小さな固定壁よりも大きい。
【００２１】
いくつかの形態によれば、弾性スリットは、底部開口部端部で交わる側部開口部および底部開口部を備えている。底部開口部端部は、それぞれのヘッドねじれ溝の回転先端縁に隣接するが、該回転前縁と一致しない。
【００２２】
本発明によれば、また、切削部分と該切削部分と一体型の単一部品を形成する切削ヘッド連結部分とを有する自動締め付け切削ヘッドが提供される。切削ヘッド連結部分は、切削部分の後方方向に延在し、切削ヘッド底面で終わっている雄固定部材を備えている。ヘッドねじれ溝は、雄固定部材の周辺内で後方方向に延在し、弾性スリットは、雄固定部材を２つの雄固定区分に分割する。雄固定区分それぞれは、ヘッドねじれ溝の１つにより関連する切削ヘッドの小さな固定壁から切り離されている切削ヘッドの大きな固定壁を備える。
【００２３】
いくつかの実施形態によれば、所定の雄固定区分において、切削ヘッドの小さな固定壁ではなくて、切削ヘッドの大きな固定壁が当接領域を有するように構成されている。
【図面の簡単な説明】
【００２４】
【図１】本発明の実施形態に係る切削工具の斜視図である。
【図２】図１の切削工具の分解斜視図である。
【図３】図１の切削工具の別の分解斜視図である。
【図４】図１の切削工具のさらに別の分解斜視図である。
【図５】部分的組み立てられた図１の切削工具の斜視図である。
【図６】図１の切削工具の側面図である。
【図７】図６のＶＩＩ−ＶＩＩ線に沿う切削工具の断面図である。
【図８】図７の断面図と同様であるが、切削工具が工具用胴部に対して中間位置まで回転している状態の切削工具の断面図である。
【図９】図７の断面図と同様であるが、切削工具が工具用胴部に対して９０°まで回転している状態の切削工具の断面図である。
【図１０】本発明のいくつかの実施形態に係る切削ヘッドの底面図である。
【発明を実施するための形態】
【００２５】
本発明を良く理解するために、また、本発明が実際にどのように実行され得るかを示すために、今、添付図面が参照される。
【００２６】
当然のことながら、説明を簡明且つ明瞭とするために、図面に示される要素は、必ずしも正確にまたは一定の縮尺で描かれてはいない。例えば、いくつかの要素の寸法は、明瞭化のために、その他の要素に対して誇張されている。あるいは、いくつかの物理的構成要素は、１つの機能的ブロックまたは要素に含まれ得る。さらに、適当であると考えられる場合、参照数字は、対応する要素または類似した要素を示すために、図面の間で繰り返される。
【００２７】
以下の説明において、本発明の種々の形態が説明されるであろう。説明の目的で、具体的な構成および詳細が本発明の完全な理解を提供するために示される。しかしながら、当業者にとって、本発明は、本明細書で提供された具体的な詳細なしに実行され得ることが明白であろう。さらに、周知の特徴は、本発明を不明瞭にさせないために、省略または簡略化され得る。
【００２８】
本発明の実施形態に係る切削工具１０を示す図１を参照する。切削工具１０は、ドリルであってもよいし、あるいはその他の回転切削工具であってもよい。切削工具１０は、切削ヘッド１２とともに工具用胴部１４に自動締め付け方法で解放可能に装着されている切削ヘッド１２、および切削工具１０が回転方向Ｒに回転する共通の回転軸Ｌを有する工具用胴部１４を含んでいる。切削ヘッド１２は、金属切削作業に使用されるようなものであって、したがって、切削ヘッドが金属を切削するために使用され得ることを意味し、必ずしも切削ヘッドが金属から作られることを意味しない金属切削ヘッドとも呼ばれる。いくつかの実施形態によれば、切削ヘッド１２は、超硬合金のような硬質の耐摩耗性の材料から作られ、また、工具用胴部１４は、鋼鉄またはその他の金属または金属化合物から作られ得る。いくつかの実施形態によれば、切削ヘッド１２は、超硬合金のような硬質の耐摩耗性の材料から作られ、また、工具用胴部１４も、超硬合金のような硬質の耐摩耗性の材料から作られ得る。工具用胴部１４には、１以上の軸方向に延在する胴部ねじれ溝１６が設けられている。該胴部ねじれ溝１６それぞれは、対応するヘッドねじれ溝１８から送り込まれている。胴部ねじれ溝１６およびヘッドねじれ溝１８は、ワークピースから切り取られた切り屑を連れ去るための工具ねじれ溝を形成するように連結している。
【００２９】
図２〜４において、切削工具１０は、分解されて示されている。切削ヘッド１２と工具用胴部１４が互いに切り離されてはいるが、組み立てに備えて回転軸Ｌに沿って整列されている状態にある。回転軸Ｌは、切削ヘッド１２が工具用胴部１４の軸方向前端部に配置されることで、前後方向を画定している。切削ヘッド１２は、切削部分２０および切削部分２０と一体型の単一部品を形成する切削ヘッド連結部分２２を備えている。
【００３０】
切削ヘッド連結部分２２は、切削部分２０の後方方向に延在し、切削ヘッド底面２６で終わる雄固定部材２４を備えている。弾性スリット２８は、雄固定部材２４を２つの雄固定区分３０に分割している。雄固定区分３０それぞれは、壁３２、３２’に対して窪まされているヘッドねじれ溝１８によって関連する切削ヘッドの小さな固定壁３２’から切り離されている切削ヘッドの大きな固定壁３２を有する。いくつかの実施形態によれば、組み立てられた工具において、各雄固定区分３０の切削ヘッドの大きな固定壁３２は、工具用胴部に当接するのに対して、切削ヘッドの小さな固定壁３２’は、工具用胴部に当接しない。一般的に言えば、切削ヘッドの大きな固定壁３２は、円周方向において、関連する切削ヘッドの小さな固定壁３２’より大きい。所定の雄固定区分３０に対し、切削ヘッドの大きな固定壁３２は、弾性スリット２８によって境界を定められる周辺面を形成する。弾性スリット２８は、切削ヘッドの大きな固定壁３２および切削ヘッドの小さな固定壁３２’に対して側部開口部３４において開放し、切削ヘッド底面２６に対して底部開口部３６において開放している。側部開口部３４および底部開口部３６は、底部開口部の端部３８において交わっている。
【００３１】
いくつかの実施形態によれば、切削部分２０は、回転状に相隔たる２つのヘッド区分４０を備えている。ヘッド区分４０それぞれは、頂面４２、回転方向Ｒに面している回転誘導面４４、および回転後面４６を有し、回転誘導面４４および回転後面４６それぞれは、頂面４２に接続している。頂面４２および誘導面４４は、切削刃４８において交わる。伝動部材５０が回転後面４６から突出している。該伝動部材５０は、軸方向前方方向に面している上面５２、軸方向後方方向に面しているベース面５４、上面５２とベース面５４との間に延在し、外側に向って面している周辺面５６、および通常回転方向Ｒと逆方向に面しており、上面５２およびベース面５４との間に配置される切削ヘッドトルク伝動壁５８を有している。
【００３２】
工具用胴部１４は、切削ヘッド１２が解放可能に装着される工具用胴部前端部６０を有している。いくつかの実施形態によれば、工具用胴部前端部６０において、工具用胴部１４には、工具用胴部底面６６から前方に向って延在する２つの回転状に相隔てられた突出部６４を有する突出部分６２が設けられている。突出部６４それぞれは、下部突出部分６８および上部突出部分７０を備えている。下部突出部分６８は、そこから上部突出部分７０が軸方向前方方向に延在する、軸方向前方に向って面している軸支持面７２を有している。上部突出部分７０は、通常、フック形状に形成されており（hook-shaped）、回転方向Ｒに逆方向に面している第１の面７４、第１の面７４に合流し、通常軸方向前方方向に面している第２の面７６、第２の面７６に合流し、通常回転方向Ｒに面している第３の面７８、第３の面７８に合流し、通常軸支持面７２に面している下面８０、および通常回転方向Ｒに面しており、下面８０と軸支持面７２との間に配置される工具用胴部のトルク伝動壁８２により境界を定められている。下面８０、工具用胴部トルク伝動壁８２および軸支持面７２は、それらの間に、伝動部材収容凹部８４を画定する開口を形成している。
【００３３】
工具用胴部連結部分８６は、工具用胴部前端部６０に配置されている。工具用胴部連結部分８６は、下部突出部分６８の内側周辺面であり、工具用胴部周辺開口部９４により切り離されている２つの工具用胴部固定壁９２によって境界を定められている工具用胴部ポケット状凹部（a tool shank pocket recess）９０の形状をしている雌固定部材８８を備えている。工具用胴部固定壁９２は、工具用胴部底面６６から離れて延在している。
【００３４】
いくつかの実施形態によれば、切削ヘッドの大きな固定壁３２と工具用胴部固定壁９２は、弧状を呈している。いくつかの実施形態によれば、切削ヘッドの大きな固定壁３２と工具用胴部固定壁９２の少なくとも一方または両方は、円柱面上にある。
【００３５】
図５においては、切削工具は、切削ヘッド１２と工具用胴部１４が図２に示される相対的位置から回転軸Ｌに沿って一緒にまとめられた状態で、部分的に組み立てられている。したがって、図５においては、切削ヘッド１２と工具用胴部１４は、回転軸Ｌを中心として図２に示されると同じ回転位置にあるが、雄固定部材２４は、雌固定部材８８内に配置されている。
【００３６】
図６では、切削工具１０は、切削ヘッド１２が工具用胴部１４内にしっかりと締め付けられている組み立てられた状態で示されている。組み立てられた切削工具１０は、図５に示される部分的に組み立てられている相対的配置から、伝動部材５０が伝動部材収容凹部８４に配置されている状態にある工具用胴部１４に対して、切削ヘッドトルク伝動壁５８が工具用胴部トルク伝動壁８２に当接するまで、切削ヘッド１２を回転方向Ｒと逆の方向に回転させることにより、獲得される。組み立てられた配置において、切削ヘッドトルク伝動壁５８が工具用胴部トルク伝動壁８２に当接することに加えて、伝動部材５０のベース面５４が切削ヘッド１２に対する軸方向の支持を提供する軸支持面７２に当接する。いくつかの実施形態によれば、切削ヘッド底面２６は、工具用胴部底面６６に当接せず、また、伝動部材５０の上面５２は、上部突出部分７０の下面８０に当接しない。
【００３７】
ここで、工具用胴部連結部分８６の下部突出部分６８において回転軸Ｌに直交し、その結果として切削ヘッド１２の雄固定部材部材２４を貫通する切削工具１０の断面を示す図７に注目する。いくつかの実施形態においては、そのような断面において、切削ヘッドの大きな固定壁３２それぞれは、長さＳ１のヘッド固定壁弧状区域９６を有し、工具用胴部固定壁９２それぞれは、長さＳ２の工具用胴部固定壁の弧状区域９８を有する。いくつかの実施形態において、長さＳ２は、長さＳ１より大きい。
【００３８】
いくつかの実施形態においては、所定の断面において、切削ヘッドの大きな固定壁３２それぞれは、所定の長さの円形区域を有し得る。いくつかの実施形態においては、弧状区域または円形区域それぞれの所定の長さは、異なる断面において、異なっていてもよい。いくつかの実施形態においては、所定の断面において、切削ヘッドの大きな固定壁３２それぞれの全長が、弧状区域又は円形区域であってもよい。同様に、いくつかの実施形態においては、特定の断面において、工具用胴部固定壁９２それぞれは、特定の長さの弧状区域または円形区域を有していてもよい。いくつかの実施形態においては、弧状区域または円形区域の特定の長さは、異なる断面において異なっていてもよい。いくつかの実施形態において、特定の断面において、工具用胴部固定壁９２それぞれの全長が、弧状区域又は円形区域であってもよい。
【００３９】
図７に示されるように、雄固定部材２４と雌固定部材８８は、組み立てられた工具において、相補当接領域１００でそれらが互いに当接するように構成される。いくつかの実施形態においては、雄固定部材上の、切削ヘッドの小さな固定壁３２’ではなくて、切削ヘッドの大きな固定壁３２のみが、当接領域を有するように構成される。いくつかの実施形態においては、所定の切削ヘッドの大きな固定壁３２は、唯一の相補当接領域１００において、対応する工具用胴部固定壁９２に当接する。しかしながら、回転軸Ｌに沿うそのような相補当接領域１００の軸方向の範囲は、切削ヘッドの大きな固定壁３２の全長に沿って延在する必要はないことが理解される。回転軸Ｌに直交し、相補当接領域１００を貫通する切削工具１０の各断面において、相補当接領域１００の断面プロフィールは、相補弧状区域であってもよい。いくつかの実施形態においては、相補弧状区域は、円形区域であってもよい。
【００４０】
雄固定部材２４および雌固定部材８８は、組み立てられた相対的配置（図６および７）において、雄固定部材２４が雌固定部材８８にしっかりと保持されるように、それらの間での締り嵌めを有するように設計される。雄固定部材２４と雌固定部材８８との間のそのような締り嵌めは、雄固定部材２４の直径が相補当接領域１００の少なくともいくつかの点において雌固定部材８８の直径より大きくなるように、雄固定部材２４および雌固定部材８８を設計することにより達成される。弾性スリット２８は、雄固定部材２４に柔軟性を与え、雄固定部材２４の直径（すなわち、回転軸Ｌに直交し、弾性スリット２８を貫通する雄固定部材の断面における直径）を、弾性スリット２８に直交する力が加えられることにより小さくさせることができる。
【００４１】
そのような力が加えられると、２つの雄固定区分３０は、互いにより接近するように移動し、雄固定区分３０をその元の位置に向って離れるように付勢する弾性力を雄固定部材２４に誘発する。加えられた力が弾性スリット２８に直交していない場合、直径方向の所定の縮小を引き起こすのに必要とされる力はより大きくなるだろう。
【００４２】
図７に示されるような組み立てられた相対的配置から、切削ヘッド１２を工具用胴部から取り外すために、切削ヘッド１２を、工具用胴部１４に対して、図８に示される中間位置を経由して、図５に示される相対的配置に等しい図９に示される部分的に組み立てられた相対的配置まで、回転方向Ｒに９０°だけ回転させる。図９に示される部分的に組み立てられている相対的配置において、切削ヘッド１２は、切削ヘッド１２および工具用胴部１４を回転軸Ｌに沿って離れるように移動させることにより、工具用胴部１４から取り外され、図２に示される分解された配置に達することができる。
【００４３】
切削ヘッド１２を工具用胴部１４に装着し、該切削ヘッド１２を該工具用胴部１４にしっかりと取り付けるために、上述したことと逆の一連の動作が実行される。すなわち、切削ヘッド１２と工具用胴部１４が互いから離されてはいるが回転軸Ｌに沿って整列されている状態にある図２に示される分解された配置から始まり、雄固定部材２４が図９に示されるように、雌固定部材８８内に配置されるまで、切削ヘッド１２と工具用胴部１４が回転軸Ｌに沿って一緒にまとめられる。次に、図８に示される中間位置を経由して図７に示される組み立てられた配置に至るまで、工具用胴部１４に対して、回転方向Ｒと逆の方向に９０°だけ、切削ヘッド１２を回転させる。
【００４４】
いくつかの実施形態においては、図８に示される中間位置は、切削工具１０の組み立て中における切削ヘッド１２と工具用胴部１４との間の最初の接触位置である。そのような実施形態においては、切削工具１０の組み立て中における切削ヘッドの大きな固定壁３２と工具用胴部固定壁９２との間の最初の接触点は、切削ヘッドの大きな固定壁３２それぞれの先端１０４と工具用胴部固定壁９２それぞれの関連する後端１０６との間ではなくて、切削ヘッドの大きな固定壁３２それぞれの先端１０４と関連する工具用胴部固定壁９２それぞれの内側の点１０８との間である。いくつかの実施形態において、このことは、工具用胴部固定壁９２それぞれの後端１０６近傍で面取り部分１１０を形成することにより達成される。結果として、組み立ての間、雄固定部材２４と雌固定部材８８との間の最初の摩擦接触は、ヘッドと工具用胴部の固定壁弧状区域（または、いくつかの実施形態における円形区域）９６、９８に沿ってなされ、該接触は、（所定の断面図における）工具用胴部固定壁９２それぞれの円周上の内側の点１０８において開始するが、面取り部分１１０では回避される。
【００４５】
雄固定部材２４が、切削ヘッド１２を工具用胴部２４に対して回転方向Ｒと逆方向に回転させることにより、部分的に組み立てられた配置から回転すると、雄固定部材２４の直径が、最初、雌固定部材８８の直径より大きく、弾性力が雄固定部材２４に誘発されるので、雄固定区分３０は、互いに向って押しやられる。結果として、切削ヘッド１２を工具用胴部１４に対して回転させるために、切削ヘッド１２と工具用胴部１４との間に作用する摩擦力に打ち勝つように、力が加えられる必要がある。
【００４６】
いくつかの実施形態によれば、弾性スリット２８は、切削ヘッドの大きな固定壁３２それぞれの先端１０４と関連する工具用胴部固定壁９２それぞれの内側の点１０８との間の初期における接触の間、弾性力に打ち勝つべく雄固定部材２４に作用する力Ｆが、弾性スリット２８に略直交し（図８参照）、それにより、切削ヘッド１２を工具用胴部１４に対して回転させるのに必要とされる力が、雄固定部材２４に作用する力が弾性スリット２８に略直交しなかった場合より小さくなるように方向付けられている。さらに、弾性スリット２８が図に示されるように方向付けられている場合、弾性スリット２８は、ヘッドねじれ溝１８に対して開放しておらず、したがって、図１に示されるように、切削工具１０の組み立てられた配置においては、ワークピースから切り出される切り屑は、弾性スリット２８には入り得ない。
【００４７】
ここで、本発明のいくつかの実施形態に係る弾性スリット２８の位置を示す切削ヘッド１２の底面図を示す図１０に注目する。いくつかの実施形態によれば、底部開口部端部３８は、各ヘッドねじれ溝１８の回転後縁１１２に隣接しているがそれとは一致しない。
【００４８】
本発明が１以上の具体的な実施形態を参照して記載されてきたが、該記載は、総体的に説明することを意図しており、本発明を示された実施形態に限定するものと解釈されるべきではない。本明細書には明確には示されていないけれども、それでも本発明の範囲内にある種々の変更が当業者にとって見出されることが理解される。
【図１】
0005519694.tif 000002
【図２】
0005519694.tif 000003
【図３】
0005519694.tif 000004
【図４】
0005519694.tif 000005
【図５】
0005519694.tif 000006
【図６】
0005519694.tif 000007
【図７】
0005519694.tif 000008
【図８】
0005519694.tif 000009
【図９】
0005519694.tif 000010
【図１０】
0005519694.tif 000011